(57)【特許請求の範囲】
【請求項１】
全体が機器の立体模倣形態であるとともに、その表面に前記機器の内部で使用される物品の形態模様が表示され、その表示が前記物品における洗浄剤による洗浄効果を示し、内部を前記洗浄剤の製品収納部とすることを特徴とする洗浄剤の販売用装置。
【請求項２】
全体が物品の立体模倣形態であるとともに、その表面に前記物品における洗浄剤による洗浄効果を表示し、内部を前記洗浄剤の製品収納部とすることを特徴とする洗浄剤の販売用装置。
【発明の詳細な説明】
【技術分野】
【０００１】
この発明は、スーパーマーケットやドラッグストア等に設置使用される洗浄剤の販売用装置に関する。
【背景技術】
【０００２】
例えば、流し台のシンク排水穴に装着使用されるゴミかごは使用に伴ってヌメリ状の汚れが付着し、この汚れは洗浄剤を使用することで除去される。このような洗浄剤はスーパーマーケットやドラッグストアで販売されており、その販売促進のためには製品の近傍に宣伝用ポスターが貼られている。
【先行技術文献】
【特許文献】
【０００３】
なし
【非特許文献】
【０００４】
なし
【発明の概要】
【発明が解決しようとする課題】
【０００５】
しかしながら上記ポスターは目に触れにくく、その洗浄効果はポスターの記載内容に詳しく目を通さなければ分からなかった。
【０００６】
この発明では、目に触れやすく、洗浄剤の洗浄効果も分かりやすい、販売促進等に好適に使用される洗浄剤の販売用装置を提供する。
【課題を解決するための手段】
【０００７】
この発明（請求項１の発明）では、全体が機器の立体模倣形態であるとともに、その表面に前記機器に使用される物品の形態模様が表示され、その表示が洗浄剤によっての洗浄前状態と洗浄後状態とに区分表示されてなることを特徴とする洗浄剤の販売用装置を提供する。
【０００８】
上記構成によれば、洗浄剤の販売用装置が洗浄対象となる物品を備える機器の立体模倣形態を持って配置されることで客の目を引く。また、洗浄前状態表示と洗浄後状態表示とに区分表示された表示模様を見ることで洗浄剤の洗浄効果が一目で把握できる。さらに、洗浄剤の製品収納部を一体に備える構成とされることで、そこに製品を収納して販売できて便利であり、また、洗浄剤の使用方法教示構成を備えることで洗浄剤の使用方法が分かる。
【０００９】
販売用装置は適宜の材料により制作できるが、厚紙を切り抜き、折り曲げ、貼り付けることで容易に、かつ安価に制作できる。機器としては洗浄対象となる物品を備えるものが適宜選択される。
【００１０】
また、この発明（請求項２の発明）では、全体が物品の立体模倣形態であるとともに、その表面に洗浄剤によっての洗浄前状態と洗浄後状態とが区分表示されてなることを特徴とする洗浄剤の販売用装置を提供する。
【００１１】
上記構成によれば、洗浄剤の販売用装置が洗浄対象となる物品の立体模倣形態を持って配置されることで客の目を引く。また、前面の洗浄前状態表示と洗浄後状態表示とに区分表示された表示模様を見ることで洗浄剤の洗浄効果が一目で把握できる。さらに、洗浄剤の製品収納部を一体に備える構成とされることで、そこに洗浄剤製品を収納して販売できて便利であり、また、洗浄剤の使用方法教示構成を備えることで洗浄剤の使用方法が分かる。
【００１２】
販売用装置は適宜の材料により制作できるが、厚紙を切り抜き、折り曲げ、貼り付けることで容易に、かつ安価に制作できる。物品としては洗浄対象となるものが適宜選択される。
【発明の効果】
【００１３】
この発明によれば、目に触れやすいとともに洗浄剤の洗浄効果も分かりやすいことで購買意欲が高められる、販売促進等に好適に使用される洗浄剤の販売用装置が得られる。
【図面の簡単な説明】
【００１４】
【図１】この発明の洗浄剤の販売用装置の第１の実施形態の斜視図
【図２】この発明の洗浄剤の販売用装置の第１の実施形態の断面図
【図３】この発明の洗浄剤の販売用装置の第２の実施形態の斜視図
【発明を実施するための最良の形態】
【００１５】
図1はこの発明の洗浄剤の販売用装置の第１の実施形態の斜視図、図２は同断面図である。
【００１６】
販売用装置１は厚紙より形成され、その全体が洗濯機の模倣形態を備え、洗濯機と同様に上面２に開口３を備えるとともにその前縁に操作ボタンの表示模様４が付されている。上面２の後部には立ち上がり壁６が備えられその前面には販売対象となる洗浄剤の使用方法を順次示す表示模様（使用方法教示構成）７が付されている。上記開口３の下方空間は販売される洗浄剤の製品収納部９となっている。
【００１７】
前面８にはほぼその全面にわたり洗濯機内部で使用される洗濯槽の表示模様１０が付されている。表示模様１０は、一方側の洗浄剤の使用前の汚れた状態である洗浄前状態表示１０ａと他方側の洗浄剤の使用後のきれいな状態である洗浄後状態表示１０ｂとに区分表示されている。上記表示模様４、７、１０のそれぞれは印刷により付設されている。
【００１８】
上記洗浄剤の販売用装置１は、洗浄剤売り場に「洗濯機」として配置されることで客の目を引き集客性能に優れる。また、前面の洗浄前状態表示１０ａと洗浄後状態表示１０ｂとに区分表示された表示模様１０を見ることで洗浄剤の洗浄効果が一目で把握でき、これにより購買意欲が高められる。さらに、洗浄剤の使用方法を順次示す表示模様７を見ることで商品使用方法における便利性も分かり、これによっても購買意欲が高まる。また、一体に製品収納部９を備えることでそこに製品を納めて販売でき、別途製品の配置スペースを確保する必要がないので便利である。
【００１９】
図３はこの発明の洗浄剤の販売用装置の第２の実施形態の斜視図である。販売用装置１０１は全体が厚紙より形成され、その全体が流し台のシンク排水穴に装着使用されるゴミかごの模倣形態を備え、円筒カゴ部１０２に吊り下げ部１０３が取り付けられて構成され、円筒カゴ部１０２はその直径が５０ｃｍ、高さが７０ｃｍと実際のゴミかごよりかなり大きく形成されている。円筒カゴ部１０２内は製品収納部１０９となっている。１０４は吊りひも部で、その先端には洗浄剤を溶け出し可能に収納するパッケージの模倣形態を備えるパッケージ１０６部が取り付けられ、そのパッケージ部１０６は実際の使用時と同様に製品収納部１０９内に納められている。上記のパッケージ１０６部が実際の使用時と同様に製品収納部１０９内に納められている構成が使用方法教示構成となる。
【００２０】
円筒カゴ部１０２の外周面、内周面には網目上の表示模様１１０が付されており、その表示模様１１０は、一方側の洗浄剤の使用前の汚れた状態である洗浄前状態表示１１０ａと他方側の洗浄剤の使用後のきれいな状態である洗浄後状態表示１１０ｂとに区分表示されている。上記表示模様１１０は印刷により付設されている。
【００２１】
上記洗浄剤の販売用装置１０１は、ゴミかごの模倣形態を備えていることで洗浄剤売り場に配置された際客の目を引き集客性能に優れる。また、洗浄前状態表示１１０ａと洗浄後状態表示１１０ｂとに区分表示された表示模様１１０を見ることで洗浄剤の洗浄効果が一目で把握でき、これにより購買意欲が高められる。さらに、パッケージ部１０６を実際に吊るした状態を確認できることで商品使用方法における便利性も分かり、これによっても購買意欲が高められる。また、一体に製品収納部１０９を備えることでそこに製品を納めて販売でき、別途製品の配置スペースをとる必要がないので便利である。
【符号の説明】
【００２２】
１    
９    
１０    
１０ａ    
１０ｂ    
【図１】
0005704730.tif 000002
【図２】
0005704730.tif 000003
【図３】
0005704730.tif 000004